(57)【要約】【課題】ＳＯＩ（Ｓｐａｃｅ  ｏｆ  Ｉｎｔｅｒｅｓｔ）に基づき構築したＳＯＩ検索システム及び方法を提供する。【解決手段】  本発明は地理的空間を点ではなく、一定の領域として区分して管理するＳＯＩ空間情報に対し、当該ＳＯＩ空間を地名識別子と連関して辞典の形式で管理できるようにする。本発明の一実施例に基づくＳＯＩ検索システムは、地理的位置に基づく少なくともひとつ以上の地名識別子とＳＯＩ（Ｓｐａｃｅ  ｏｆ  ｉｎｔｅｒｅｓｔ）空間識別子をマッチングし、ＳＯＩ客体及びＳＯＩ関係客体に対する公開情報を設定するＳＯＩ空間辞典部、マッチングされたＳＯＩ空間識別子とＳＯＩ空間情報を連関して保存するＳＯＩ保存部、及びＳＯＩ客体及びＳＯＩ関係客体に対する公開情報を保存する公開情報保存部を含む。【選択図】図３
2013156991.tif 000002
【特許請求の範囲】
【請求項１】
クライアント端末機から検索語入力及び空間選択入力のうち少なくともひとつの入力を受信するＳＯＩ検索部、
地理的位置に基づく少なくともひとつ以上の地名識別子と少なくともひとつのＳＯＩ客体をマッチングし、上記少なくともひとつのＳＯＩ客体の所有権に従い、上記少なくともひとつのＳＯＩ客体に対する公開情報、及び上記少なくともひとつのＳＯＩ客体の間の関係を示すＳＯＩ関係客体それぞれに対する公開情報を設定するＳＯＩ空間辞典部、
上記マッチングされた、上記地名識別子と上記少なくともひとつ以上のＳＯＩ客体を保存するＳＯＩ保存部、及び
上記少なくともひとつのＳＯＩ客体及び上記ＳＯＩ関係客体に対して設定された公開情報を保存する公開情報保存部を含み、
上記ＳＯＩ空間辞典部は、上記ＳＯＩ保存部に保存されたマッチング情報及び上記公開情報保存部に保存された公開情報に基づき、上記ＳＯＩ検索部から受信した入力に対応する検索結果を算出することを特徴とするＳＯＩ検索システム。
【請求項２】
上記公開情報は、公開属性情報と公開属性管理単位情報を含み、上記公開属性情報は公開（ｐｕｂｌｉｃ）及び非公開（ｐｒｉｖａｔｅ）のうちひとつの属性を有し、
上記公開属性情報が公開と設定された、ＳＯＩ客体またはＳＯＩ関係客体だけを対象にして検索結果として算出されることを特徴とする請求項１に記載のＳＯＩ検索システム。
【請求項３】
上記公開属性管理単位情報はテーマ、カテゴリ、使用者グループ及びシーズンのうち少なくともひとつを含み、
上記公開属性情報は、公開属性管理単位ごとに属性値が保存されることを特徴とする請求項２に記載のＳＯＩ検索システム。
【請求項４】
上記ＳＯＩ空間辞典部は、
上記少なくともひとつのＳＯＩ客体に対する公開情報及び上記ＳＯＩ関係客体に対する公開情報に従い上記ＳＯＩ客体または上記ＳＯＩ関係客体をフィルタリングする段階、及び
上記フィルタリングされたＳＯＩ客体及びＳＯＩ関係客体のうち、上記入力にマッチングするＳＯＩ客体及びＳＯＩ関係客体を決定する段階を介して上記検索結果を算出することを特徴とする請求項１に記載のＳＯＩ検索システム。
【請求項５】
上記ＳＯＩ空間辞典部は、上記入力にマッチングするＳＯＩ客体を決定するとき、ＳＯＩ  ＩＤを用いることを特徴とする請求項４に記載のＳＯＩ検索システム。
【請求項６】
上記ＳＯＩ客体、上記ＳＯＩ関係客体及び上記公開情報は使用者ごとに管理されることを特徴とする請求項１に記載のＳＯＩ検索システム。
【請求項７】
上記算出された検索結果としてＳＯＩ空間情報を表示するディスプレイ部をさらに含むことを特徴とする請求項１に記載のＳＯＩ検索システム。
【請求項８】
地理的位置に基づく少なくともひとつ以上の地名識別子と少なくともひとつのＳＯＩ客体をマッチングして保存するＳＯＩ保存段階、
上記少なくともひとつのＳＯＩ客体の所有権に従い、上記少なくともひとつのＳＯＩ客体に対する公開情報、及び上記少なくともひとつのＳＯＩ客体の間の関係を示すＳＯＩ関係客体それぞれに対する公開情報を設定する公開情報設定段階、
クライアント端末機から検索語入力及び空間選択入力のうち少なくともひとつの入力を受信するＳＯＩ検索入力段階、及び
上記ＳＯＩ保存段階で保存されたマッチング情報及び上記公開情報設定段階で設定された公開情報に基づき、上記受信した入力に対応する検索結果を算出する段階を含むことを特徴とするＳＯＩ検索方法。
【請求項９】
上記公開情報は、公開属性情報と公開属性管理単位情報を含み、上記公開属性情報は公開（ｐｕｂｌｉｃ）及び非公開（ｐｒｉｖａｔｅ）のうちひとつの属性を有し、
上記公開属性情報が公開として設定された、ＳＯＩ客体またはＳＯＩ関係客体だけを対象にして検索結果として算出されることを特徴とする請求項８に記載のＳＯＩ検索方法。
【請求項１０】
上記公開属性管理単位情報は、テーマ、カテゴリ、使用者グループ及びシーズンのうち少なくともひとつを含み、
上記公開属性情報は、公開属性管理単位ごとに属性値が保存されることを特徴とする請求項９に記載のＳＯＩ検索方法。
【請求項１１】
上記検索結果を算出する段階は、
上記少なくともひとつのＳＯＩ客体に対する公開情報及び上記ＳＯＩ関係客体に対する公開情報に従い上記ＳＯＩ客体または上記ＳＯＩ関係客体をフィルタリングする段階、及び
上記フィルタリングされたＳＯＩ客体及びＳＯＩ関係客体のうち、上記入力にマッチングするＳＯＩ客体及びＳＯＩ関係客体を決定する段階を含むことを特徴とする請求項８に記載のＳＯＩ検索方法。
【請求項１２】
上記検索結果を算出する段階は、上記入力にマッチングするＳＯＩ客体を決定するとき、ＳＯＩ  ＩＤを用いることを特徴とする請求項１１に記載のＳＯＩ検索方法。
【請求項１３】
上記ＳＯＩ客体、上記ＳＯＩ関係客体及び上記公開情報は使用者ごとに管理されることを特徴とする請求項８に記載のＳＯＩ検索方法。
【請求項１４】
上記算出された検索結果としてＳＯＩ空間情報を表示する段階をさらに含むことを特徴とする請求項８に記載のＳＯＩ検索方法。
【発明の詳細な説明】
【技術分野】
【０００１】
本発明は、ＳＯＩ（Ｓｐａｃｅ  ｏｆ  Ｉｎｔｅｒｅｓｔ）検索システム及び方法に係り、より詳しくは、ＳＯＩを保存するデータベースに基づき、検索結果を提供するＳＯＩ検索システム及び方法に関する。
【背景技術】
【０００２】
一般に、ＰＯＩ（Ｐｏｉｎｔ  ｏｆ  Ｉｎｔｅｒｅｓｔ）位置情報は、ＸＹ位置座標値で表現されるものであり、現在サービス中であるインターネットポータルの位置情報検索サービスを介し特定ＰＯＩを検索する場合、一定の大きさの地図上に当該ＰＯＩのＸＹ位置座標をひとつの点の形で表示する。
ＸＹ位置座標値を中心にマッチングしているデータを管理する場合は、同一の位置に複数の位置基盤データをマッチングすることとなり、幾多の座標情報が生成されるか、または同一の座標に同一の内容を意味するデータが多数表現され、検索結果に混乱を惹き起すことがある。
図１に示す通り、使用者が「京東市場」を検索語として入力した場合、使用者は京東市場と表示された特定の地点ではなく、当該部分の一定の領域全般に対して京東市場を認識することができる。従来の位置基盤サービスの場合、使用者のこのような期待に応える検索結果を提供することはできなかった。
【先行技術文献】
【特許文献】
【０００３】
【特許文献１】特開２０１２−１３４７９５号公報
【特許文献２】特開２０１１−１９７７３４号公報
【発明の概要】
【発明が解決しようとする課題】
【０００４】
本発明が達成しようとする技術的課題は、使用者の望む多様な位置基盤データを提供するため、ＳＯＩ（Ｓｐａｃｅ  ｏｆ  Ｉｎｔｅｒｅｓｔ）に基づき構築したＳＯＩ検索システム及び方法を提供することである。
本発明が達成しようとする他の技術的課題は、位置基盤データを既設定された領域または経路に基づき構築して位置基盤データの活用性を高め、使用者に最適化された検索結果を提供できるＳＯＩ検索システム及び方法を提供することである。
本発明のもうひとつの技術的課題は、ＳＯＩ客体に対する所有権に基づき、管理単位ごとに公開情報を設定することにより、ＳＯＩ客体に対する多様な公開情報が設定されたＳＯＩ辞典を構築し、これを用いて検索時に設定された公開情報に基づき適応的検索結果を算出できるＳＯＩ検索システム及び方法を提供することである。
【課題を解決するための手段】
【０００５】
本発明の一実施例に基づくＳＯＩ検索システムは、地理的位置に基づく少なくともひとつ以上の地名識別子とＳＯＩ（Ｓｐａｃｅ  ｏｆ  Ｉｎｔｅｒｅｓｔ）空間識別子をマッチングさせるＳＯＩ空間辞典部、及び上記マッチングされたＳＯＩ空間識別子とＳＯＩ空間情報を連関して保存するＳＯＩ保存部を含む。
実施例に基づき、上記ＳＯＩ空間情報は、ＳＯＩ空間の中心位置座標、形状情報、外郭座標を含むことができ、上記ＳＯＩ空間識別子及び上記ＳＯＩ空間情報は使用者ごとに管理することができる。
また、上記ＳＯＩ検索システムは、上記ＳＯＩ空間情報を登録するか、または修正するＳＯＩ情報生成部を含むとともに、外部から受信した検索語に基づき、上記ＳＯＩ空間辞典部から上記ＳＯＩ空間識別子を導出し、上記導出されたＳＯＩ空間識別子に基づき、上記ＳＯＩ保存部から上記ＳＯＩ空間情報を受信するＳＯＩ検索部を含み、上記受信されたＳＯＩ空間情報を表示するディスプレイ部をさらに含むこともできる。
【０００６】
本発明の一実施例に基づくＳＯＩ検索システムは、クライアント端末機から検索語入力及び空間選択入力のうち少なくともひとつの入力を受信するＳＯＩ検索部と、地理的位置に基づく少なくともひとつ以上の地名識別子と、少なくともひとつのＳＯＩ客体をマッチングし、少なくともひとつのＳＯＩ客体の所有権に基づき、少なくともひとつのＳＯＩ客体に対する公開情報、及び少なくともひとつのＳＯＩ客体の間の関係を示すＳＯＩ関係客体それぞれに対する公開情報を設定するＳＯＩ空間辞典部と、マッチングした、地名識別子と上記少なくともひとつ以上のＳＯＩ客体を保存するＳＯＩ保存部と、少なくともひとつのＳＯＩ客体及び上記ＳＯＩ関係客体に対し設定された公開情報を保存する公開情報保存部を含み、ＳＯＩ空間辞典部は上記ＳＯＩ保存部に保存されたマッチング情報及び上記公開情報保存部に保存された公開情報に基づき、上記ＳＯＩ検索部から受信した入力に対応する検索結果を算出することができる。
【０００７】
このようにＳＯＩ客体及びＳＯＩ関係客体に対し、それぞれ公開情報を設定することにより、ＳＯＩ所有権者の公開意思を反映したＳＯＩ辞典の構築が可能であり、個別に設定されたＳＯＩ公開情報に基づき多様な検索結果の導出が可能となる利点がある。
一実施例に基づき、公開情報は公開属性情報と公開属性管理単位情報を含み、公開属性情報は公開（ｐｕｂｌｉｃ）及び非公開（ｐｒｉｖａｔｅ）のうちひとつの属性を有し、上記公開属性情報が公開と設定された、ＳＯＩ客体またはＳＯＩ関係客体だけを対象にして検索結果として算出するように具現される。
【０００８】
一実施例に基づき、公開属性管理単位情報は、テーマ、カテゴリ、使用者グループ及びシーズンのうち少なくともひとつを含み、公開属性情報は、公開属性管理単位ごとに属性値が保存される。
また、ＳＯＩ空間辞典部は、上記少なくともひとつのＳＯＩ客体に対する公開情報及び上記ＳＯＩ関係客体に対する公開情報に基づき、上記ＳＯＩ客体または上記ＳＯＩ関係客体をフィルタリングする段階、及び上記フィルタリングされたＳＯＩ客体及びＳＯＩ関係客体のうち、上記入力にマッチングするＳＯＩ客体及びＳＯＩ関係客体を決定する段階を通じて上記検索結果を算出することができ、入力にマッチングするＳＯＩ客体を決定するときは、ＳＯＩ  ＩＤを用いることができる。
【０００９】
本発明の他の実施例に基づくＳＯＩ検索システムは、地理的位置に基づく少なくともひとつ以上の地名識別子と少なくともひとつのＳＯＩ客体をマッチングして保存するＳＯＩ保存段階、、上記少なくともひとつのＳＯＩ客体の所有権に基づき、上記少なくともひとつのＳＯＩ客体に対する公開情報、及び上記少なくともひとつのＳＯＩ客体の間の関係を示すＳＯＩ関係客体それぞれに対する公開情報を設定する公開情報設定段階、、クライアント端末機から検索語入力及び空間選択入力のうち少なくともひとつの入力を受信するＳＯＩ検索入力段階、、及び上記ＳＯＩ保存段階で保存されたマッチング情報及び上記公開情報設定段階で設定された公開情報に基づき、上記受信した入力に対応する検索結果を算出する段階を含む。
【発明の効果】
【００１０】
本発明の実施例に基づくＳＯＩ検索システムは、従来の検索語データベースに基づき位置基盤データを提供することを補完し、検索語に代替できる地理的識別子を導入してＳＯＩ空間情報を提供するか、または検索語基盤の検索結果と地理的識別子をマッチングしてＳＯＩ空間情報を提供することができる。従って、位置基盤データの提供のための検索を単純化すると同時に使用者が実際に望む検索結果を提供することができる。
本発明の他の実施例に基づくＳＯＩ検索システムは、多数の地理的識別子と多数のＳＯＩ空間識別子をマッチングさせ、これに基づきＳＯＩ空間情報を提供できるため、多様なＳＯＩ空間情報を提供する時間を最小にし、位置基盤データの提供の正確性を向上させることができる。
本発明のさらに他の実施例に基づくＳＯＩ検索システムは、所有権者に公開設定権限を許諾することにより、ＳＯＩ客体に対する所有権に基づき当該ＳＯＩ客体及びそのＳＯＩ客体と他のＳＯＩ客体の間の関係に対する公開の可否をそれぞれ設定することができるので、所有権者の公開意思が反映されたＳＯＩ空間辞典を構築することができる。
【図面の簡単な説明】
【００１１】
【図１】従来の位置基盤サービスの提供の一実施例を示す図である。
【図２】本発明の一実施例に基づくＳＯＩ検索結果を提供する図である。
【図３】本発明の一実施例に基づくＳＯＩ検索システムを示すブロック図である。
【図４】本発明の一実施例に基づく地名識別子とＳＯＩ空間識別子のマッチングによるＳＯＩ空間情報の導出を説明するための図である。
【図５】本発明の一実施例に基づく地名識別子とＳＯＩ空間識別子によるＳＯＩ空間情報の導出を説明するための図である。
【図６】本発明の一実施例に基づくＳＯＩ検索システムを示すブロック図である。
【図７】本発明の他の実施例に基づくＳＯＩ検索システムを示すブロック図である。
【図８】本発明の他の実施例に基づくＳＯＩ検索システムにより構築されるＳＯＩ空間辞典を示す図である。
【図９】本発明のさらに他の実施例に基づくＳＯＩ検索システムの構成要素を示すブロック図である。
【発明を実施するための形態】
【００１２】
以下、本発明の実施例を例示的な図を介して詳しく説明する。  図２は、本発明の一実施例に基づくＳＯＩ検索結果を提供する例を示す図である。
図２に示す通り、ＳＯＩ（Ｓｐａｃｅ  ｏｆ  ｉｎｔｅｒｅｓｔ）は、「京東市場」を検索した場合、一定のＸＹ座標に基づく位置を点（ｐｏｉｎｔ）で表示するのではなく、２次元の空間に対する情報を提供する。実施例に基づき、ＳＯＩ空間情報は２次元に位置する建物の各階ごとの情報、即ち垂直構造に対する情報を含む三次元空間情報を含むこともできる。
ＳＯＩ空間情報は、ＸＹ座標と同一の位置情報、ＳＯＩの空間構造情報を含む構造情報及びＳＯＩ組合情報を含み、地図上の一定空間に対する情報を表示する。ＳＯＩは位置情報上に点、線、領域情報または建物情報等の形状情報をさらに含むこともできる。
【００１３】
ＳＯＩ空間情報は、既に設定されたＳＯＩ空間識別子（Ｉｄｅｎｔｉｆｉｅｒ）と連関して保存できる。実施例に従い、ＳＯＩ空間情報は少なくともひとつ以上のＳＯＩ空間識別子と連関して保存され、ＳＯＩ空間識別子はＳＯＩを検索する場合、検索語とマッチングするＳＯＩ空間識別子に応じて検索する結果としてＳＯＩ空間情報を提供することができる。
ＰＯＩは、ひとつの座標に対して複数の情報が入力される場合は、複数のＰＯＩ情報が生成される。ＳＯＩは同一の領域を指定するＳＯＩに対して複数の情報が入力される場合は、ひとつのＳＯＩ空間情報として統合して管理されるが、このような場合は、ひとつのＳＯＩ空間情報にひとつ以上のＳＯＩ空間情報識別子が与えられる。  さらに、実施例に従い、ＳＯＩ空間情報は単一情報を含むことができるが、水平構造に拡張するか、または垂直的な階層構造を有することもあり得る。水平構造を有するＳＯＩは互いに連係されるか、単一ＳＯＩの結果として提供される。
【００１４】
図３は、本発明の一実施例に基づくＳＯＩ検索システムを示すブロック図である。
図３に示す通り、ＳＯＩ検索システム１００はＳＯＩ空間辞典部１１０、ＳＯＩ保存部１２０、及びＳＯＩ情報生成部１３０を含む。
ＳＯＩ空間辞典部１１０は、地理的位置に基づいた地名識別子とＳＯＩ空間識別子をマッチングする。たとえば、地名識別子は住所体系により定められた住所名でもあり得るが、一般に使用者の観念の中に存在する地理的名称、たとえば、京東市場、マルジュクゴリ、ウォーカーヒルギル、広場市場等のように、一定の領域を指しながらも正式な地理的名称ではない異名（ｓｙｎｏｎｙｍ）の場合を収集して地名識別子として保存し、当該地名識別子に相応するＳＯＩ空間識別子をマッチングさせることができる。
従って、本発明の一実施例に基づくＳＯＩ検索システム１００は、住所体系に基づく地名だけではなく、一般的な使用者により社会通念的な地名として用いられる名称までも知名識別子として保存し、当該地名識別子に対しＳＯＩ空間識別子をマッチングさせてＳＯＩ空間を辞典のように検索できるようにする。
【００１５】
ＳＯＩ保存部１２０は、ＳＯＩ空間識別子とＳＯＩ空間情報を連関して保存する。実施例に基づき、ＳＯＩ空間情報に対しても、少なくともひとつ以上のＳＯＩ空間識別子が連関され得る。また、ＳＯＩ空間情報に対しては、上位ＳＯＩ空間識別子、下位ＳＯＩ空間識別子、連関ＳＯＩ空間識別子等で、階層的にＳＯＩ空間情報を管理するための空間識別子が与えられることもできる。
たとえば、ＳＯＩ空間情報は、単一ＳＯＩ空間識別子を与えられることがありるが、一定のＳＯＩ空間情報が水平構造で連関された場合は、連関されたＳＯＩ空間情報が同時に検索されることもあり得るため、これらは、連関ＳＯＩ空間識別子が与えられて識別されることもあり得る。また、特定のＳＯＩ空間情報が他のＳＯＩ空間情報に対し下位ＳＯＩ空間情報として分類されて保存されることもあり得るため、上位ＳＯＩ空間識別子と下位ＳＯＩ空間識別子がそれぞれ与えられてＳＯＩ空間情報を管理することもできる。
【００１６】
ＳＯＩ情報生成部１３０は、ＳＯＩ空間情報を新たに登録するか、または情報が変更された場合、これを修正してＳＯＩ保存部１２０に保存する。ＳＯＩ空間情報の登録及び変更は、外部入力を介して行われるか、またはＳＯＩ検索システムの内部で補正を介してＳＯＩ空間情報の修正が行われる。
たとえば、専門家、地域専門家、その空間の持ち主等がＳＯＩ空間情報で設定された領域を変更し、または情報を修正できる。指定されたＳＯＩ空間情報の領域が実際と異なるか、または該当地域で一般使用者の通念上存在する空間に対する地名識別子を専門家、地域専門家等がＳＯＩ情報生成部１３０に提供し、ＳＯＩ情報生成部１３０は、その情報に基づき、ＳＯＩ空間情報を修正または生成し、ＳＯＩ保存部１２０に保存することができる。また、ＳＯＩ空間辞典部１１０に対し新たな地名識別子を提供することもできる。さらに、ＳＯＩ客体に対する所有権に基づき、それぞれのＳＯＩ客体及び他のＳＯＩ客体との関係に対する公開の可否を設定することができ、これは図７及び８を参照して詳しく説明する。
【００１７】
実施例に基づき、ひとつの地名識別子に対して複数のＳＯＩ空間識別子がマッチングされることもある。このような実施例に対しては、図５を参照して詳しく説明する。
図４は、本発明の一実施例に基づく地名識別子とＳＯＩ空間識別子のマッチングによるＳＯＩ空間情報の導出を説明するための図である。
図４に示す通り、地名識別子として良才洞、マルジュクゴリ及びベンベンサゴリとＳＯＩ空間情報がＳＯＩ空間識別子を介してマッチングされている。良才洞は、住所体系に従い一般に識別され得る地名識別子である。しかし、マルジュクゴリのように住所体系で用いられている名称ではないが、一般使用者が認識できる地理的名称に該当し、地名識別子としてＳＯＩ空間辞典部１１０で管理され、当該地名識別子に対し同一のＳＯＩ空間識別子が与えられるのである。また、ベンベンサゴリの場合、一般使用者が良才洞とベンベンサゴリを同一のＳＯＩ空間領域として認識する場合、同一のＳＯＩ空間情報がマッチングするようにＳＯＩ空間識別子が与えられる。
ＳＯＩ保存部１２０は、ＳＯＩ空間識別子とＳＯＩ空間情報を連関して保存するため、ＳＯＩ空間辞典部１１０を介しＳＯＩ空間識別子が提供されれば、これに応じてＳＯＩ空間情報を提供することができる。
【００１８】
図５は、本発明の一実施例に基づく地名識別子とＳＯＩ空間識別子によるＳＯＩ空間情報の導出を説明するための図である。
図５に示す通り、単一地名識別子である「桜並木」に対し複数のＳＯＩ空間情報が対応される。実施例に基づき、ＳＯＩ空間辞典部１１０の桜並木に対して複数のＳＯＩ空間識別子がマッチングされ、ＳＯＩ空間識別子に応じてＳＯＩ保存部１２０から複数のＳＯＩ空間情報が提供される方式で具現される。
結局、ＳＯＩ空間辞典部１１０は、複数の地名識別子と複数のＳＯＩ空間識別子をマッチングして保存することができる。また、ＳＯＩ空間辞典部１１０は、使用者それぞれに対して個別識別情報を提供し、使用者ごとに相違するＳＯＩ空間辞典を提供することもできる。使用者ごとに地名識別子とＳＯＩ空間識別子を相違するようにマッチングする場合、使用者ごとに最適化されたＳＯＩ空間情報を提供することができ、当該使用者が使用しない地名識別子を保存しなくてもいいため、保存空間を減らしながら全体の検索システムの動作速度を向上させることができる。  地名識別子にマッチングして提供されるＳＯＩ空間識別子及びこれに基づくＳＯＩ空間情報は、現在使用者の位置に基づき優先順位が設定される。実施例に基づき、使用者の位置から最も近いＳＯＩ空間情報が最上位に位置するように提供することができる。
【００１９】
図６は、本発明の一実施例に基づくＳＯＩ検索システムを示すブロック図である。
図６のＳＯＩ検索システム１００ａは、図３のＳＯＩ検索システム１００と比較した場合、ＳＯＩ検索部１４０をさらに含むことができる。従って、図１と同一の参照符号を用いた構成要素は、実質的に同一の機能と動作を行うことができるため、これに対する具体的な説明は省略する。
ＳＯＩ検索部１４０は、外部から入力された検索語をＳＯＩ空間辞典部１１０に提供する。ＳＯＩ空間辞典部１１０は検索語に応じて地名識別子とマッチングしたＳＯＩ空間識別子をＳＯＩ保存部１２０に提供することができる。ＳＯＩ保存部１２０はＳＯＩ空間識別子に連関したＳＯＩ空間情報をＳＯＩ検索部１４０に提供することができる。
【００２０】
実施例に基づき、ＳＯＩ検索部１４０は、ＳＯＩ空間辞典部１１０に保存された地名識別子と対応するようにする検索語を変更してＳＯＩ空間辞典部１１０に提供することもできる。他の実施例では、ＳＯＩ検索部１４０で提供された検索語に基づきＳＯＩ空間辞典部１１０が地名識別子と検索語を比較してＳＯＩ空間識別子を導出することもできる。
ＳＯＩ検索部１４０は、受信されたＳＯＩ空間情報に基づき、使用者にＳＯＩ空間情報を提供することができる。図示していないが、ＳＯＩ検索システム１００ａはディスプレイ部をさらに含むことができ、ディスプレイ部を介して検索されたＳＯＩ空間情報が使用者に提供できる。
ディスプレイ部は、使用者が視覚的に認識できるＬＥＤ（Ｌｉｇｈｔ  ｅｍｉｔｔｉｎｇ  ｄｉｏｄｅ）、ＬＣＤ（Ｌｉｑｕｉｄ  ｃｒｙｓｔａｌ  ｄｉｓｐｌａｙ）等で具現されたスクリーンであり、実施例によりタッチスクリーン等で具現することもできる。
【００２１】
図７は、本発明の他の実施例に基づくＳＯＩ検索システムを図示したブロック図である。本実施例に基づくＳＯＩ検索システムは、図６で説明したＳＯＩ検索部１４０、ＳＯＩ空間辞典部１１０、ＳＯＩ情報生成部１３０、及びＳＯＩ保存部１２０と共に、公開情報保存部１２５をさらに含む。即ち、地名識別子とＳＯＩ客体をマッピングして保存するＳＯＩ保存部１２０の他に、それぞれのＳＯＩ客体及びこれらの関係に対する公開情報を保存する公開情報保存部１２５を追加に備えたシステムを提供することができる。
【００２２】
先ず、公開情報保存部１２５を用いたＳＯＩ辞典の生成と関連して説明する。前述したように、ＳＯＩ空間辞典部１１０は、地理的位置に基づいた地名識別子とＳＯＩ空間識別子をマッチングしてＳＯＩ保存部１２０に保存することができる。即ちＳＯＩ保存部１２０は、ＳＯＩ空間識別子とＳＯＩ空間情報を連関して保存することができる。実施例に基づき、ＳＯＩ空間情報に対しても少なくともひとつ以上のＳＯＩ空間識別子が連関されることができる。さらに、ＳＯＩ空間情報に対しては、上位ＳＯＩ空間識別子、下位ＳＯＩ空間識別子、連関ＳＯＩ空間識別子等で階層的にＳＯＩ空間情報を管理するための空間識別子が与えられる。
【００２３】
ここで、本実施例によれば、ＳＯＩ空間辞典部１１０が上記地名識別子とマッチングされたＳＯＩ空間識別子に対し公開情報を設定することができる。公開情報の設定は、ＳＯＩ空間識別子として表現されるＳＯＩ客体それぞれに対し、そのＳＯＩ客体に所有権（ｏｗｎｅｒｓｈｉｐ）を有する所有者により設定される。所有権はＳＯＩ客体、即ち空間客体を実際に所有する人、その空間をＳＯＩ客体として設定した人、または両者に与えられることができ、このような所有権を保有する所有者にＳＯＩ客体の公開設定権限を与えることができる。
【００２４】
公開情報は、公開の可否及び／又は公開範囲に対して設定される情報を含み、本実施例において、公開情報は、公開属性情報と公開属性管理単位情報を含むことができる。公開属性情報は公開（ｐｕｂｌｉｃ）または非公開（ｐｒｉｖａｔｅ）の属性をいい、公開属性管理単位情報は効率的にＳＯＩ客体の公開属性を管理するために作られた分類であり、テーマ、カテゴリ、使用者グループ及びシーズン等を含むことができる。公開属性情報は、公開属性管理単位に対して個別的に設定され得るため、公開属性管理単位ごとに同一または相違する公開属性情報を有することができる。このように、ひとつのＳＯＩ客体が多様な分類による多様な公開属性を有するため、検索時出力される検索結果が公開情報により異なるように導出されることができる。このような公開設定が所有者を介して行われ、所有者は自分が保有し、または生成した空間に対し、どの検索に対してのみ検索結果として出力できるかを具体的に指定することができ、検索者をして公開された検索結果のみを見ることができるようにする。
【００２５】
また、ＳＯＩ空間辞典部１１０は、ＳＯＩ客体とは別に、ひとつ以上のＳＯＩ客体を連結するＳＯＩ客体の間の「関係」に対しても公開の可否及び公開範囲（即ち、公開情報）を設定することができる特徴を有する。前述したように、ＳＯＩは上位または下位ＳＯＩ客体の間に水平、垂直構造で連関されることもあり、所定の基準に従い、それぞれが複数の関係を結んでいることもある。本発明の一実施例に基づけば、このようなＳＯＩ客体の間の連結関係（即ち、ＳＯＩ関係の客体）それぞれに対し公開情報を設定できるように具現することにより、検索時に互いに連結されたＳＯＩ客体間の関係のうち一部または全部を露出しないようにできる。このようなＳＯＩ関係客体に対する公開情報も、前述したＳＯＩ客体に対する公開の可否と同様に、公開属性管理単位ごとに公開属性情報を保存することができる。
【００２６】
このように、ＳＯＩ客体は関係性を有し、多重に関係を結んでいるため、このような関係に対しそれぞれ公開設定を変えることにより、検索状況ごとに他の検索結果が導出される効果がある。このような検索状況を反映して公開属性管理単位を指定したものであり、公開属性管理単位（たとえば、カテゴリ、テーマ等）がさらに多様になればなるほど、さらに細分化した情報の公開設定が可能となり、持ち主の意思が最適に反映された検索結果を出力することができる。また、一般に持ち主の公開設定は、検索者の要求充足とターゲット広告の効率性増大の側面から行われることにより、本発明のＳＯＩ検索辞典は持ち主の意思反映と同時に検索者の要求も満たすことができる。
【００２７】
ここで、ＳＯＩ関係客体に対する公開情報の設定は、ＳＯＩ客体に対する公開情報の設定と別途行われ、持ち主により設定及び変更することが可能となる。公開情報の設定は図８を参照してさらに詳しく説明することにする。
このように、ＳＯＩ空間辞典部１１０が地名識別子とＳＯＩ客体に対するＳＯＩ空間識別子をマッチングし、空間情報を設定すれば、ＳＯＩ客体のマッチング情報はＳＯＩ保存部１２０に保存し、公開情報は公開情報保存部１２５に保存することができる。
ＳＯＩ情報生成部１３０は、ＳＯＩ空間情報を新たに登録するか、または情報が変更された場合、これを修正してＳＯＩ保存部１２０及び／又は公開情報保存部１２５に保存することができる。前述したように、ＳＯＩ空間情報の登録及び変更は外部入力を介して行われるか、またはＳＯＩ検索システムの内部で補正を介してＳＯＩ空間情報の修正が行われ、本発明の一実施例に基づく公開情報の登録及び変更は、当該ＳＯＩ客体に対し所有権を有する持ち主により管理される。
【００２８】
次に、公開情報保存部１２５を追加に保有する本実施例のＳＯＩ検索システムを介した検索時の動作過程について説明する。  
先ず、ＳＯＩ検索部１４０は、外部から入力された検索語をＳＯＩ空間辞典部１１０に提供する。ここで、ＳＯＩ検索部１４０を介した入力は、検索語の入力を介した入力及び／又は、たとえば地図上における空間選択に基づく入力を含む。また、検索語や空間選択の入力の他、本発明による検索結果算出に必要な情報として、検索者が選択したカテゴリ、テーマ等の状況情報に対する入力の提供を受けることもできる。例えば、使用者が「桜並木」との検索語を入力した場合、ＳＯＩ検索部１４０を介し「桜並木」との検索語の入力と検索を実施した時期（例えば、日付）、位置等に対する状況情報も共に収集してＳＯＩ空間辞典部１１０に提供することができる。
【００２９】
ＳＯＩ空間辞典部１１０は、検索語または空間選択のような入力に応じて検索結果を提供するため、ＳＯＩ保存部１２０及び公開情報保存部１２５と連係して検索結果を算出することができる。一実施例として、ＳＯＩ空間辞典部１１０は、検索入力に含まれた検索語情報及び状況情報等を収集することができ、収集した情報に従い公開範囲をフィルタリングすることができる。たとえば、入力した検索語と状況情報としてテーマ、時間等が特定されれば、特定されたテーマと時間、そして検索語に対し結果算出のため利用する空間辞典（即ち、ＳＯＩ保存部と公開情報保存部により構築され、予め保存された空間辞典のうち一部）が特定されることができる。
【００３０】
ＳＯＩ空間辞典部１１０は、特定された公開範囲と検索入力に従い、検索結果として出力するＳＯＩ客体及びＳＯＩ関係客体を決定する。即ち、ＳＯＩ保存部１２０に保存されたＳＯＩ客体とＳＯＩ関係客体のうち検索にマッチングしながら、属性が公開である情報を決定することができる。その際、決定されるＳＯＩ客体及びＳＯＩ関係客体は、当該公開属性管理単位ごとに属性情報が公開として設定されたものだけが対象になる。ここで、ＳＯＩ客体の決定は、ＳＯＩ客体に与えられたＳＯＩ  ＩＤを用いて決定される。ＳＯＩ空間辞典部１１０が検索結果として出力するＳＯＩ客体及びＳＯＩ関係客体が決定された後は、後続プロセスのためＳＯＩ検索部１４０に当該結果を出力することができる。例えば、検索結果は地図の形でディスプレイされるか、または正確度等に従いリスト化されて提供され、或いは後続プロセスのため他のプロセッサーに伝送される。前述した実施例では、ＳＯＩ空間辞典部１１０が検索入力に対する検索結果の算出と公開情報に従うフィルタリング等の機能を一体として行う例示について説明したが、機能により他のプロセッサー（例えば、互いに分離された構成要素）により具現できる。
【００３１】
本実施例に基づくＳＯＩ検索システムは、異名のような地名識別子とＳＯＩ客体をマッチングして辞典化するだけでなく、ＳＯＩ客体とＳＯＩ関係客体に対して公開情報を所定の単位ごとに設定できるように具現することにより、検索者が入力した検索語と状況情報を含む入力に対し、その状況に対して構築された辞典情報を選択的に用いることができるので、検索範囲を最小にして処理負荷を減らしながらも細分化された検索結果を提供できる利点がある。
【００３２】
図８は、図７を参照して説明したＳＯＩ検索システムを参照し、本発明の実施例に基づくＳＯＩ検索システムにより構築されるＳＯＩ空間辞典の例示を示す図である。図８の（ａ）は、公開情報保存部１２５に保存された公開属性管理単位ごとの公開情報を例示的に図示したものであり、（ｂ）はＳＯＩ客体に対する公開情報とＳＯＩ関係客体に対する公開情報の理解を助けるために図示したものである。
図８の（ａ）に示す通り、公開属性管理単位情報として左側の縦の列に表示されたＴｈｅｍｅ  Ａ、Ｔｈｅｍｅ  Ｂ、Ｃａｔｅｇｏｒｙ「整備」、「Ｓｅａｓｏｎ  １２月〜２月」及びＳｅａｓｏｎ  「６月〜８月」を有することが分かる。横の行に図示した公開（ｐｕｂｌｉｃ）及び非公開（ｐｒｉｖａｔｅ）の可否は、それぞれのＳＯＩ客体が当該公開属性管理単位に対して有する公開属性情報をいう。たとえば、最初の縦の行に該当する第１ＳＯＩ客体は、全ての公開属性管理単位情報に対して「公開」するように設定されている反面、第２ＳＯＩ客体は、Ｔｈｅｍｅ  Ｂに対しては非公開に設定されている。従って、検索入力（状況情報を含む）で収集された情報がＴｈｅｍｅ  Ｂを含む場合、第２ＳＯＩ客体は検索結果として導出されなくなる。
【００３３】
一方、第５ＳＯＩ客体はＴｈｅｍｅ  Ｂに対しＵｓｅｒ  Ｇｒｏｕｐ  １に対してのみ非公開されるように設定されており、Ｃａｔｅｇｏｒｙ「整備」の場合、Ｕｓｅｒ  Ｇｒｏｕｐ２に対してのみ非公開されるように設定されている。このような場合、Ｕｓｅｒ  Ｇｒｏｕｐ２による検索入力がＣａｔｅｇｏｒｙ「整備」を含む場合、第５ＳＯＩ客体が非公開されるが、Ｕｓｅｒ  Ｇｒｏｕｐ３が検索を行う場合は、全ての属性管理単位に対して公開される。
このように、多数の公開属性管理単位に従って個別的な公開情報が設定されるため、結果的に本発明により構築されるＳＯＩ検索システムは状況ごとに多数のＳＯＩ空間辞典を有するように具現される。このような公開情報の設定により、持ち主の意思を最適に反映した検索結果を出力でき、また持ち主が顧客の要求を満たすためＳＯＩ客体またはＳＯＩ関係客体の公開情報を設定することにより、顧客の要求にも最適化された検索結果の出力が可能となる。
【００３４】
次に、図８の（ｂ）により、ＳＯＩ関係客体に対する公開情報についてさらに詳しく説明する。前述したように、本発明の一実施例に基づけば、ＳＯＩ客体を互いに連結するＳＯＩ関係客体に対する公開の可否も設定できるようになる。図８の（ｂ）の通り、ＳＯＩ  ＩＤ  １を有する第１ＳＯＩ客体、ＳＯＩ  ＩＤ  ２を有する第２ＳＯＩ客体、ＳＯＩ  ＩＤ  ３を有する第３ＳＯＩ客体が、それぞれ公開、非公開、公開である公開情報を有する。さらに、第１ＳＯＩ客体と第２ＳＯＩ客体の間にはＳＯＩ関係客体Ｒ１を有し、第２ＳＯＩ客体と第３ＳＯＩ客体の間にはＳＯＩ関係客体Ｒ２を有し、第１ＳＯＩ客体と第３ＳＯＩ客体の間にはＳＯＩ関係客体Ｒ３を有する。このようなＳＯＩ関係客体もＩＤを含むことができ、それぞれが空間情報を有する。図８の（ｂ）では便宜のため単にひとつの公開属性管理単位に基づくＳＯＩ客体とＳＯＩ関係客体を図示したが、多重的な関係を有するＳＯＩ客体の特性上、ひとつのＳＯＩ客体が多数の他のＳＯＩ客体との多様な関係を形成することがあり、２個のＳＯＩ客体の間にもふたつ以上の関係客体を有することもある。
【００３５】
前述したように、本発明はＳＯＩ関係客体に対しても公開情報を設定することができる特徴を有する。従って、公開属性管理単位により、ＳＯＩ客体間の特定関係が公開されることも、非公開されることもあり得る。例えば、第３ＳＯＩ客体が上位の空間客体（たとえば、建物）であり、第１、第２ＳＯＩ客体は第３ＳＯＩ客体の下位客体（たとえば、その建物内に入店している商店）と仮定し、特定Ｔｈｅｍｅに対し図８の（ｂ）に図示したように公開情報が設定されていると仮定しよう。図３または図６に基づく実施例によれば、若し検索者が第３ＳＯＩ  ＩＤに対する検索を入力する場合、下位客体である第１ＳＯＩ客体及び第２ＳＯＩ客体が全て公開されるのみならず、その下位客体との関係も全て公開され得る。
【００３６】
しかし、本図によれば、そのＴｈｅｍｅで第２ＳＯＩ客体が非公開であるだけでなく、関係客体Ｒ２が非公開と設定されているため、第３ＳＯＩ客体を検索しても下位客体である第２ＳＯＩ客体が検索結果として導出されない。たとえば、第２ＳＯＩ客体がアイスクリーム屋である場合、第３ＳＯＩ客体の所有者（たとえば、下位客体に対する所有権も保有する所有者）が公開属性管理単位のうち、「シーズン：冬」にはその商店が非公開されるように設定することができる。このような場合、他の下位客体が限定されたウェブページ内でさらに上位に表示される可能性が高まり、冬にアイスクリーム屋を探す可能性が相対的に低く、検索者もまたアイスクリーム屋を検索結果として見ることを望まない可能性があるとの傾向を反映することができる効果がある。
【００３７】
このように、関係客体の公開情報設定は、持ち主の意思に従い当該空間に対して公開を望む情報だけを提示できる長所を有し、図８で説明した実施例の他にも多様な形で活用できる。      図９は、本発明のさらに他の実施例に係るＳＯＩ検索システムの構成要素を示したブロック図であり、ＳＯＩ空間辞典部１１０の構成要素をさらに具体化した図である。以下、ＳＯＩ空間辞典部１１０で検索に伴いＳＯＩを抽出する過程を重点的に説明する。本実施例に係るＳＯＩ検索システムは、図７で説明したように、ＳＯＩ検索部１４０、ＳＯＩ空間辞典部１１０、ＳＯＩ情報生成部１３０、およびＳＯＩ保存部１２０とともに、公開情報保存部１２５を含む。
図９に示す通り、ＳＯＩ検索部１４０は、ＳＯＩ入力部１４１と空間選択部１４２を含むことができる。つまり、ＳＯＩ検索部１４０を介してクライアント端末機がＳＯＩを特定して入力するか、任意の空間を選択する方式でＳＯＩの検索を行うことができる。ＳＯＩ空間辞典部１１０は、公開属性収集部１１１、公開範囲決定部１１２、および検索ＳＯＩ抽出部１１３を含むことができ、検索ＳＯＩ抽出部１１３は、ＳＯＩ  ＩＤ抽出部１１４とＳＯＩ関係選別部１１５を含むことができる。たとえば、ＳＯＩ検索部１４０を介してＳＯＩ空間辞典部１１０に検索語または空間の選択が入力されると、公開属性収集部１１１は、ＳＯＩ保存部１２０および公開情報保存部１２５を介してＳＯＩ辞典を利用するための公開属性管理単位を定めて公開属性情報を収集する。収集されたＳＯＩは公開範囲決定部１１２で公開情報保存部１２５を参照して、それぞれのＳＯＩに対し公開属性管理単位別にフィルタリングされる。フィルタリングされたＳＯＩは、ＳＯＩ  ＩＤ抽出部１１４からＳＯＩ  ＩＤを抽出し、ＳＯＩ関係選別部１１５を介してＳＯＩ関係に対する公開情報に基づいて公開されたＳＯＩだけを抽出することになる。ＳＯＩ空間辞典部１１０が検索結果として出力するＳＯＩ客体およびＳＯＩ関係客体が決定されてから、後続のプロセスのためにＳＯＩ検索部１４０に当該結果を出力することができる。
本発明の一実施例に基づくＳＯＩ検索システムは、多様な地名識別子とＳＯＩ空間識別子をマッチングし、これに連関するＳＯＩ空間情報を導出して提供することができる。従って、規格化された住所体系ではなく、一般使用者が慣用的に用いる地理的名称に対応して最適化された地理的領域に対する情報を提供することができるため実質的に使用者が望む地理的位置に対する情報を提供することができる。従って、使用者の要求に符合できる適応的な位置基盤サービスの提供が可能である。
【００３８】
以上の説明は、本発明の技術思想を例示的に説明したものに過ぎず、本発明が属する技術分野において通常の知識を有する者であれば、本発明の本質的な特性から外れない範囲で多様な修正及び変形が可能であるはずである。従って、本発明に開示された実施例は、本発明の技術思想を限定するためのものではなく、説明するためのものであり、このような実施例により本発明の技術思想の範囲が限定されるものではない。本発明の保護範囲は、下記の請求範囲に基づき解釈されなければならず、これと同等な範囲内にある全ての技術思想は、本発明の権利範囲に含まれるものとして解釈されなければならない。
【符号の説明】
【００３９】
１００、１００ａ：ＳＯＩ検索システム
１１０：ＳＯＩ空間辞典部
１２０：ＳＯＩ保存部
１２５：公開情報保存部
１３０：ＳＯＩ情報生成部
【図１】
2013156991.tif 000003
【図２】
2013156991.tif 000004
【図３】
2013156991.tif 000005
【図４】
2013156991.tif 000006
【図５】
2013156991.tif 000007
【図６】
2013156991.tif 000008
【図７】
2013156991.tif 000009
【図８】
2013156991.tif 000010
【図９】
2013156991.tif 000011